(57)【要約】【課題】消費者が自己のヘアカラーを基準に、それに似合う色の化粧品を容易に選択できるような手段を提供する。【解決手段】シート１上に、ブルーベースのブラウンのヘアカラーに似合う化粧品のカラーパッチが配列された一の一覧表２と、イエローベースのブラウンのヘアカラーに似合う化粧品のカラーパッチが配列された他の一覧表３が印刷される。各一覧表は、上から順に、少なくとも、ヘアカラーのカラーパッチが印刷されたヘアカラー表示コラム８、アイ・メイク・アップ用化粧品のカラーパッチが印刷されたアイ・メイク・アップカラー表示コラム９、リップ・メイク・アップ用化粧品のカラーパッチが印刷されたリップ・メイク・アップカラー表示コラム１０、チークカラーのカラーパッチが印刷されたチーク・メイク・アップカラー表示コラム１１に区分される。【選択図】図１
0003101933.tif 000002
【実用新案登録請求の範囲】
【請求項１】
メイク・アップのカラーコーディネイトのためのカラーチャートであって、
シート（１）上に、
ヘアカラーを少なくとも２つの色分類に区分し、その区分毎に対応するヘアカラーのカラーパッチを配列表示したヘアカラー表示コラム（８）と、
アイ・メイク・アップ用化粧品のカラーパッチを、前記ヘアカラーの色分類に適合する色毎に区分して配列表示したアイ・メイク・アップカラー表示コラム（９）と、
リップ・メイク・アップ用化粧品のカラーパッチを、前記ヘアカラーの色分類に適合する色毎に区分して配列表示したリップ・メイク・アップカラー表示コラム（１０）と、
チーク・メイク・アップ用化粧品のカラーパッチを、前記ヘアカラーの色分類に適合する色毎に区分して配列表示したチーク・メイク・アップカラー表示コラム（１１）と、を印刷し、
前記アイ・メイク・アップカラー表示コラム（９）、前記リップ・メイク・アップカラー表示コラム（１０）および前記チーク・メイク・アップカラー表示コラム（１１）を、それぞれ、前記ヘアカラーの色分類を基準に、これに適合する色毎に対応表示したことを特徴とするカラーチャート。
【請求項２】
前記ヘアカラーを、ブルーベースのブラウンとイエローベースのブラウンの２つの色分類に区分し、前記ブルーベースのブラウンに関する前記ヘアカラー表示コラム（８）、並びに前記ブルーベースのブラウンに適合する前記アイ・メイク・アップカラー表示コラム（９）、前記リップ・メイク・アップカラー表示コラム（１０）および前記チーク・メイク・アップカラー表示コラム（１１）を上から順に並べて一の一覧表（２）を形成、表示し、前記イエローベースのブラウンに関する前記ヘアカラー表示コラム（８）、並びに前記イエローベースのブラウンに適合する前記アイ・メイク・アップカラー表示コラム（９）、前記リップ・メイク・アップカラー表示コラム（１０）および前記チーク・メイク・アップカラー表示コラム（１１）を上から順に並べて他の一覧表（３）を形成、表示したことを特徴とする請求項１に記載のカラーチャート。
【請求項３】
前記アイ・メイク・アップカラー表示コラム（９）、前記リップ・メイク・アップカラー表示コラム（１０）、および前記チーク・メイク・アップカラー表示コラム（１１）に印刷された前記カラーパッチには、それぞれ、そのカラーパッチに対応する商品識別子を付記したことを特徴とする請求項１または請求項２に記載のカラーチャート。
【請求項４】
前記商品識別子は、商品名、商品コード、色番号および色名称のいずれか１つまたはこれらの２つ以上の組合わせからなっていることを特徴とする請求項３に記載のカラーチャート。
【請求項５】
前記ブルーベースのブラウンに区分されたヘアカラーを、さらに、モノトーン・ブラック系／ダークブラウン系と、赤っぽいブラウンの２つの色分類に区分し、前記イエローベースのブラウンに区分されたヘアカラーを、さらに、赤っぽくないブラウンと、イエロー系／ゴールド系の２つの色分類に区分するとともに、前記モノトーン・ブラック系／ダークブラウン系に関する前記ヘアカラー表示コラム（８）、並びに前記モノトーン・ブラック系／ダークブラウン系に適合する前記アイ・メイク・アップカラー表示コラム（９）、前記リップ・メイク・アップカラー表示コラム（１０）および前記チーク・メイク・アップカラー表示コラム（１１）を上から順に並べて第１の一覧表（４）を形成、表示し、前記赤っぽいブラウンに関する前記ヘアカラー表示コラム（８）、並びに前記赤っぽいブラウンに適合する前記アイ・メイク・アップカラー表示コラム（９）、前記リップ・メイク・アップカラー表示コラム（１０）および前記チーク・メイク・アップカラー表示コラム（１１）を上から順に並べて第２の一覧表（５）を形成、表示し、前記赤っぽくないブラウンに関する前記ヘアカラー表示コラム（８）、並びに前記赤っぽくないブラウンに適合する前記アイ・メイク・アップカラー表示コラム（９）、前記リップ・メイク・アップカラー表示コラム（１０）および前記チーク・メイク・アップカラー表示コラム（１１）を上から順に並べて第３の一覧表（６）を形成、表示し、前記イエロー系／ゴールド系に関する前記ヘアカラー表示コラム（８）、並びに前記イエロー系／ゴールド系に適合する前記アイ・メイク・アップカラー表示コラム（９）、前記リップ・メイク・アップカラー表示コラム（１０）および前記チーク・メイク・アップカラー表示コラム（１１）を上から順に並べて第４の一覧表（７）を形成、表示したことを特徴とする請求項２〜請求項４のいずれかに記載のカラーチャート。
【請求項６】
前記アイ・メイク・アップ用化粧品は、少なくともアイカラーを含み、前記リップ・メイク・アップ用化粧品は、少なくとも、リップスティックおよびリップグロスを含んでいることを特徴とする請求項１〜請求項５のいずれかに記載のカラーチャート。
【請求項７】
前記第１の一覧表（４）におけるヘアカラー表示コラム（８）には、ブルーブラック、レッドブラック、ダークブラウンおよびプラチナのカラーパッチ（１３ａ）〜（１３ｄ）を順次、横一列に配列し、前記第２の一覧表（５）におけるヘアカラー表示コラム（８）には、ボルドー、カシスブラウン、アッシュピンクおよびレッドのカラーパッチ（５１ａ）〜（５１ｄ）を順次、横一列に配列し、前記第３の一覧表（６）におけるヘアカラー表示コラム（８）には、アッシュブラウン、ナチュラルブラウン、アッシュオレンジおよびアプリコットオレンジのカラーパッチ（５３ａ）〜（５３ｄ）を順次、横一列に配列し、前記第４の一覧表（７）におけるヘアカラー表示コラム（８）には、イエロー、アッシュグリーン、ベージュおよびキャラメルゴールドのカラーパッチ（５５ａ）〜（５５ｄ）を順次、横一列に配列したことを特徴とする請求項５または請求項６に記載のカラーチャート。
【請求項８】
前記第１〜第４の一覧表（４）〜（７）における前記アイ・メイク・アップカラー表示コラム（９）を、上段のアイカラーのカラーパッチ表示コラム（１４）と、下段のアイカラー以外のアイ・メイク・アップ用化粧品のカラーパッチ表示コラム（１５）に区分し、前記アイカラーのカラーパッチ表示コラム（１４）には、関係するアイカラーのカラーパッチ（４０）を順次、横一列に配列したことを特徴とする請求項５〜請求項７のいずれかに記載のカラーチャート。
【請求項９】
前記第１〜第４の一覧表（４）〜（７）における前記リップ・メイク・アップカラー表示コラム（１０）を、上段のリップスティックのカラーパッチ表示コラム（１６）と、その下段のリップグロスのカラーパッチ表示コラム（１７）と、その下段のリップペンシルのカラーパッチ表示コラム（１８）と、その下段のリップパレットのカラーパッチ表示コラム（１９）に区分し、前記リップスティックのカラーパッチ表示コラム（１６）には、関係するリップスティックのカラーパッチ（４２）を、上から順に、レッド系、ローズ系、パープル系、ピンク系、オレンジ系、ゴールド系、ベージュ系、およびブラウン系に分類、配列し、前記リップグロスのカラーパッチ表示コラム（１７）には、関係するリップグロスのカラーパッチ（４３）を、上から順に、レッド系、ローズ系、パープル系、ピンク系、オレンジ系、ゴールド系、ベージュ系、ブラウン系、およびそれ以外のカラーに分類、配列したことを特徴とする請求項５〜請求項８のいずれかに記載のカラーチャート。
【考案の詳細な説明】
【技術分野】
【０００１】
本考案は、メイク・アップのカラーコーディネイトのためのカラーチャートに関するものである。
【背景技術】
【０００２】
市場で入手可能な化粧品の種類は、規制緩和およびメイク・アップブームによって増加する傾向にあり、化粧品は、機能（発色、持ち、使用感、容器）、色数、および付加価値（新規原料や新技術によるトリートメント効果、保護効果、ダメージ防止効果等）の面において多様化しており、消費者にとってみれば、機能、商品数、付加価値等による化粧品の選択枝は広がってきている。
しかしながら、消費者が自己に似合う色合いの化粧品を選択しようとする場合、確固たる判断基準が存在せず、百貨店等での対面販売によるアドバイスや、ファッション誌等の特集記事に頼るか、あるいは、「広告でタレントが使用している色」を選択するしかないのが現状である。
【０００３】
また、日本女性の約６５％がヘアカラーリングをするようになり、「髪色の違い」は顕著になってきている。それに伴い、髪の長さやヘアスタイルと同様に、ヘアカラーが個人の外観や印象に影響する要素であるとの認識が高まってきている。
しかし、一般的な化粧品の販売においては、ヘアカラーに合わせたメイク・アップの提案がなされていない。このことは、一般的な化粧品ブランドのパンフレット、会誌、アドバイスシート（メイク・アップ・シート）等、化粧品を提案する印刷物やシートが、ヘアカラーに触れていないことからも明らかである。
【０００４】
このように、ヘアカラーは個人の外観や印象を大きく左右するにもかかわらず、従来においては、消費者が自己の髪色を基準に似合う色合いの化粧品を選択することが容易ではなかった。
【考案の開示】
【考案が解決しようとする課題】
【０００５】
したがって、本考案の課題は、消費者が自己のヘアカラーを基準に、それに似合う色合いの化粧品を容易に選択できるような手段を提供することにある。
【課題を解決するための手段】
【０００６】
上記課題を解決するため、本考案は、メイク・アップのカラーコーディネイトのためのカラーチャートであって、シート上に、ヘアカラーを少なくとも２つの色分類に区分し、その区分毎に対応するヘアカラーのカラーパッチを配列表示したヘアカラー表示コラムと、アイ・メイク・アップ用化粧品のカラーパッチを、前記ヘアカラーの色分類に適合する色毎に区分して配列表示したアイ・メイク・アップカラー表示コラムと、リップ・メイク・アップ用化粧品のカラーパッチを、前記ヘアカラーの色分類に適合する色毎に区分して配列表示したリップ・メイク・アップカラー表示コラムと、チーク・メイク・アップ用化粧品のカラーパッチを、前記ヘアカラーの色分類に適合する色毎に区分して配列表示したチーク・メイク・アップカラー表示コラムと、を印刷し、前記アイ・メイク・アップカラー表示コラム、前記リップ・メイク・アップカラー表示コラムおよび前記チーク・メイク・アップカラー表示コラムを、それぞれ、前記ヘアカラーの色分類を基準に、これに適合する色毎に対応表示したことを特徴とするカラーチャートを構成したものである。
ここで、「ヘアカラーの色分類に適合する色」とは、ドミナント・カラーの考え方に基づいて、そのヘアカラーの色分類に調和する色、あるいは似合う色を意味する。
【０００７】
上記構成において、前記ヘアカラーを、ブルーベースのブラウンとイエローベースのブラウンの２つの色分類に区分し、前記ブルーベースのブラウンに関する前記ヘアカラー表示コラム、並びに前記ブルーベースのブラウンに適合する前記アイ・メイク・アップカラー表示コラム、前記リップ・メイク・アップカラー表示コラムおよび前記チーク・メイク・アップカラー表示コラムを上から順に並べて一の一覧表を形成、表示し、前記イエローベースのブラウンに関する前記ヘアカラー表示コラム、並びに前記イエローベースのブラウンに適合する前記アイ・メイク・アップカラー表示コラム、前記リップ・メイク・アップカラー表示コラムおよび前記チーク・メイク・アップカラー表示コラムを上から順に並べて他の一覧表を形成、表示することが好ましい。
【０００８】
また、前記アイ・メイク・アップカラー表示コラム、前記リップ・メイク・アップカラー表示コラムおよび前記チーク・メイク・アップカラー表示コラムに印刷された前記カラーパッチには、それぞれ、そのカラーパッチに対応する商品識別子を付記することが好ましく、さらに、前記商品識別子は、商品名、商品コード、色番号および色名称のいずれか１つまたはこれらの２つ以上の組合わせからなっていることが好ましい。
【０００９】
また、好ましくは、前記ブルーベースのブラウンに区分されたヘアカラーは、さらに、モノトーン・ブラック系／ダークブラウン系と、赤っぽいブラウンの２つの色分類に区分され、前記イエローベースのブラウンに区分されたヘアカラーは、さらに、赤っぽくないブラウンと、イエロー系／ゴールド系の２つの色分類に区分されるとともに、前記モノトーン・ブラック系／ダークブラウン系に関する前記ヘアカラー表示コラム、並びに前記モノトーン・ブラック系／ダークブラウン系に適合する前記アイ・メイク・アップカラー表示コラム、前記リップ・メイク・アップカラー表示コラムおよび前記チーク・メイク・アップカラー表示コラムが上から順に並べられて第１の一覧表が形成、表示され、前記赤っぽいブラウンに関する前記ヘアカラー表示コラム、並びに前記赤っぽいブラウンに適合する前記アイ・メイク・アップカラー表示コラム、前記リップ・メイク・アップカラー表示コラムおよび前記チーク・メイク・アップカラー表示コラムが上から順に並べられて第２の一覧表が形成、表示され、前記赤っぽくないブラウンに関する前記ヘアカラー表示コラム、並びに前記赤っぽくないブラウンに適合する前記アイ・メイク・アップカラー表示コラム、前記リップ・メイク・アップカラー表示コラムおよび前記チーク・メイク・アップカラー表示コラムが上から順に並べられて第３の一覧表が形成、表示され、前記イエロー系／ゴールド系に関する前記ヘアカラー表示コラム、並びに前記イエロー系／ゴールド系に適合する前記アイ・メイク・アップカラー表示コラム、前記リップ・メイク・アップカラー表示コラムおよび前記チーク・メイク・アップカラー表示コラムが上から順に並べられて第４の一覧表が形成、表示される。
【００１０】
前記アイ・メイク・アップ用化粧品は、少なくともアイカラーを含み、前記リップ・メイク・アップ用化粧品は、少なくとも、リップスティックおよびリップグロスを含んでいることが好ましい。
さらに好ましくは、前記第１の一覧表におけるヘアカラー表示コラムには、ブルーブラック、レッドブラック、ダークブラウンおよびプラチナのカラーパッチが順次、横一列に配列され、前記第２の一覧表におけるヘアカラー表示コラムには、ボルドー、カシスブラウン、アッシュピンクおよびレッドのカラーパッチが順次、横一列に配列され、前記第３の一覧表におけるヘアカラー表示コラムには、アッシュブラウン、ナチュラルブラウン、アッシュオレンジおよびアプリコットオレンジのカラーパッチが順次、横一列に配列され、前記第４の一覧表におけるヘアカラー表示コラムには、イエロー、アッシュグリーン、ベージュおよびキャラメルゴールドのカラーパッチが順次、横一列に配列される。
さらに好ましくは、前記第１〜第４の一覧表における前記アイ・メイク・アップカラー表示コラムは、上段のアイカラーのカラーパッチ表示コラムと、下段のアイカラー以外のアイ・メイク・アップ用化粧品のカラーパッチ表示コラムに区分され、前記アイカラーのカラーパッチ表示コラムには、関係するアイカラーのカラーパッチが順次、横一列に配列される。
さらに、前記第１〜第４の一覧表における前記リップ・メイク・アップカラー表示コラムは、上段のリップスティックのカラーパッチ表示コラムと、その下段のリップグロスのカラーパッチ表示コラムと、その下段のリップペンシルのカラーパッチ表示コラムと、その下段のリップパレットのカラーパッチ表示コラムに区分され、前記リップスティックのカラーパッチ表示コラムには、関係するリップスティックのカラーパッチが、上から順に、レッド系、ローズ系、パープル系、ピンク系、オレンジ系、ゴールド系、ベージュ系、およびブラウン系に分類されて配列され、前記リップグロスのカラーパッチ表示コラムには、関係するリップグロスのカラーパッチが、上から順に、レッド系、ローズ系、パープル系、ピンク系、オレンジ系、ゴールド系、ベージュ系、ブラウン系、およびそれ以外のカラーに分類されて配列される。
【考案を実施するための最良の形態】
【００１１】
以下、添付図面を参照して本考案の好ましい実施例について説明する。図１は、本考案の１実施例によるメイク・アップのカラーコーディネイトのためのカラーチャートの平面図である。図１を参照して、本考案によれば、ヘアカラーを少なくとも２つの色分類、この実施例では、ブルーベースのブラウンとイエローベースのブラウンの２つの色分類に区分し、その区分毎に対応するヘアカラーのカラーパッチを配列表示したヘアカラー表示コラム８と、アイ・メイク・アップ用化粧品のカラーパッチを、ヘアカラーの色分類に適合する色毎に区分して配列表示したアイ・メイク・アップカラー表示コラム９と、リップ・メイク・アップ用化粧品のカラーパッチを、ヘアカラーの色分類に適合する色毎に区分して配列表示したリップ・メイク・アップカラー表示コラム１０と、チーク・メイク・アップ用化粧品のカラーパッチを、ヘアカラーの色分類に適合する色毎に区分して配列表示したチーク・メイク・アップカラー表示コラム１１と、がシート１上に印刷される。そして、ブルーベースのブラウンに関するヘアカラー表示コラム８、並びにブルーベースのブラウンに適合するアイ・メイク・アップカラー表示コラム９、リップ・メイク・アップカラー表示コラム１０およびチーク・メイク・アップカラー表示コラム１１が上から順に並べられて一の一覧表２が形成、表示され、イエローベースのブラウンに関するヘアカラー表示コラム８、並びにイエローベースのブラウンに適合するアイ・メイク・アップカラー表示コラム９、リップ・メイク・アップカラー表示コラム１０およびチーク・メイク・アップカラー表示コラム１１が上から順に並べられて他の一覧表３が形成、表示される。
【００１２】
ブルーベースのブラウンに区分されたヘアカラーは、さらに、モノトーン・ブラック系／ダークブラウン系と、赤っぽいブラウンの２つの色分類に区分され、イエローベースのブラウンに区分されたヘアカラーは、さらに、赤っぽくないブラウンと、イエロー系／ゴールド系の２つの色分類に区分される。そして、モノトーン・ブラック系／ダークブラウン系に関するヘアカラー表示コラム８、並びにモノトーン・ブラック系／ダークブラウン系に適合するアイ・メイク・アップカラー表示コラム９、リップ・メイク・アップカラー表示コラム１０およびチーク・メイク・アップカラー表示コラム１１が上から順に並べられて第１の一覧表４が形成、表示され、赤っぽいブラウンに関するヘアカラー表示コラム８、並びに赤っぽいブラウンに適合するアイ・メイク・アップカラー表示コラム９、リップ・メイク・アップカラー表示コラム１０およびチーク・メイク・アップカラー表示コラム１１が上から順に並べられて第２の一覧表５が形成、表示される。さらに、赤っぽくないブラウンに関するヘアカラー表示コラム８、並びに赤っぽくないブラウンに適合するアイ・メイク・アップカラー表示コラム９、リップ・メイク・アップカラー表示コラム１０およびチーク・メイク・アップカラー表示コラム１１が上から順に並べられて第３の一覧表６が形成、表示され、イエロー系／ゴールド系に関するヘアカラー表示コラム８、並びにイエロー系／ゴールド系に適合するアイ・メイク・アップカラー表示コラム９、リップ・メイク・アップカラー表示コラム１０およびチーク・メイク・アップカラー表示コラム１１が上から順に並べられて第４の一覧表７が形成、表示される。
【００１３】
ここで、「ヘアカラーの色分類に適合する色」とは、ドミナント・カラーの考え方に基づいて、そのヘアカラーの色分類に調和する色、あるいは似合う色を意味している。以下の説明では、「適合する」という用語の代わりに「似合う」という用語を用いることがある。
【００１４】
図２〜図５は、それぞれ、図１のカラーチャートにおける第１の一覧表の部分、第２の一覧表の部分および第３の一覧表の部分、並びに第４の一覧表の部分の拡大図である。
図２〜図５に示されるように、第１〜第４の一覧表４〜７は、それぞれ、上から順に、ヘアカラーのカラーパッチが印刷されたヘアカラー表示コラム８、アイ・メイク・アップ用化粧品のカラーパッチが印刷されたアイ・メイク・アップカラー表示コラム９、リップ・メイク・アップ用化粧品のカラーパッチが印刷されたリップ・メイク・アップカラー表示コラム１０、チーク・メイク・アップ用化粧品のカラーパッチが印刷されたチーク・メイク・アップカラー表示コラム１１に区分されている。この区分を視認し易くするため、第１の一覧表４および第４の一覧表７のそれぞれの欄外には（図２、５参照）、ヘアカラー表示コラム８に対応する位置に「Hair Colour」の文字２１が、アイ・メイク・アップカラー表示コラム９に対応する位置に目を表すイラスト２２および「Eye」の文字が、リップ・メイク・アップカラー表示コラム１０に対応する位置に唇を表すイラスト２５および「Lip」の文字が、チーク・メイク・アップカラー表示コラム１１に対応する位置に頬を表すイラスト３２および「Cheek」の文字が印刷されている。
【００１５】
図２に示されるように、第１の一覧表４におけるヘアカラー表示コラム８には、最上段の位置に「モノトーン・ブラック系／ダークブラウン系」の文字２０が印刷され、その下側に、ブルーブラック１３ａ、レッドブラック１３ｂ、ダークブラウン１３ｃおよびプラチナ１３ｄのカラーパッチが順次、横一列に印刷されている。
図３に示されるように、第２の一覧表５におけるヘアカラー表示コラム８には、最上段の位置に「赤っぽいブラウン」の文字５０が印刷され、その下側にボルドー５１ａ、カシスブラウン５１ｂ、アッシュピンク５１ｃおよびレッド５１ｄのカラーパッチが順次、横一列に印刷されている。
図４に示されるように、第３の一覧表６におけるヘアカラー表示コラム８には、最上段の位置に「赤っぽくないブラウン」の文字５２が印刷され、その下側にアッシュブラウン５３ａ、ナチュラルブラウン５３ｂ、アッシュオレンジ５３ｃおよびアプリコットオレンジ５３ｄのカラーパッチが順次、横一列に印刷されている。
図５に示されるように、第４の一覧表７におけるヘアカラー表示コラム８には、最上段の位置に「イエロー系／ゴールド系」の文字５４が印刷され、イエロー５５ａ、アッシュグリーン５５ｂ、ベージュ５５ｃおよびキャラメルゴールド５５ｄのカラーパッチが順次、横一列に印刷されている。
図２〜図５から明らかなように、この実施例では、カラーパッチ１３ａ〜１３ｄ、５１ａ〜５１ｄ、５３ａ〜５３ｄ、５５ａ〜５５ｄは、それぞれ、女性の横顔を表した同一のイラストの頭髪部分を対応する色に塗りつぶしたものからなっている。
【００１６】
また、第１〜第４の一覧表４〜７のそれぞれにおけるアイ・メイク・アップカラー表示コラム９は、上段のアイカラーのカラーパッチ表示コラム１４と、下段のアイカラー以外のアイ・メイク・アップ用化粧品のカラーパッチ表示コラム１５に区分されている。この区分を視認し易くするため、第１の一覧表４および第４の一覧表７のそれぞれの欄外には（図２、５参照）、アイカラーのカラーパッチ表示コラム１４に対応する位置に「Eye Colour」の文字が、アイカラー以外のアイ・メイク・アップ用化粧品のカラーパッチ表示コラム１５に対応する位置に「Eye Make-up Others」の文字が印刷されている。
アイカラーのカラーパッチ表示コラム１４には、当該一覧表に分類されたヘアカラーに似合うアイカラーのカラーパッチ４０が順次、横一列に印刷され、各カラーパッチ４０の下側には対応する商品識別子が付記されている。商品識別子は、商品名、商品コード、色番号および色名称のいずれか１つまたはこれらの２つ以上の組合わせからなっている。
アイカラー以外のアイ・メイク・アップ用化粧品のカラーパッチ表示コラム１５には、当該一覧表に分類されたヘアカラーに似合う、例えば、アイペンシルやマスカラのカラーパッチ４１が印刷され、各カラーパッチ４１の下側には対応する商品識別子（商品名、商品コード、色番号、色名称等）が付記されている。
【００１７】
第１〜第４の一覧表４〜７のそれぞれにおけるリップ・メイク・アップカラー表示コラム１０は、上段のリップスティックのカラーパッチ表示コラム１６と、その下段のリップグロスのカラーパッチ表示コラム１７と、その下段のリップペンシルのカラーパッチ表示コラム１８と、その下段のリップパレットのカラーパッチ表示コラム１９に区分されている。この区分を視認し易くするため、第１の一覧表４および第４の一覧表７のそれぞれの欄外には（図２、５参照）、リップスティックのカラーパッチ表示コラム１６に対応する位置に「Lipstick」の文字が、リップグロスのカラーパッチ表示コラム１７に対応する位置に「Lip Gloss」の文字が、リップペンシルのカラーパッチ表示コラム１８に対応する位置に「Lip Pencil」の文字が、リップパレットのカラーパッチ表示コラム１９に対応する位置に「Lip Palette」の文字が印刷されている。
【００１８】
また、リップスティックのカラーパッチ表示コラム１６には、当該一覧表に分類されたヘアカラーに似合うリップスティックのカラーパッチ４２が、上から順に、レッド系、ローズ系、パープル系、ピンク系、オレンジ系、ゴールド系、ベージュ系、およびブラウン系に分類されて印刷されている。さらに、各カラーパッチ４２の下側には対応する商品識別子（商品名、商品コード、色番号、色名称等）が付記されている。これに対応して、第１の一覧表４および第４の一覧表７のそれぞれの欄外には（図２、５参照）、上から順に、「Red」、「Rose」、「Purple」、「Pink」、「Orange」、「Gold」、「Beige」および「Brown」の文字２７が印刷されている。
【００１９】
リップグロスのカラーパッチ表示コラム１７には、当該一覧表に分類されたヘアカラーに似合うリップグロスのカラーパッチ４３が、上から順に、レッド系、ローズ系、パープル系、ピンク系、オレンジ系、ゴールド系、ベージュ系、ブラウン系、およびそれ以外のカラーに分類されて印刷されている。さらに、各カラーパッチ４３の下側には対応する商品識別子（商品名、商品コード、色番号、色名称等）が付記されている。これに対応して、第１の一覧表４および第４の一覧表７のそれぞれの欄外には（図２、５参照）、上から順に、「Red」、「Rose」、「Purple」、「Pink」、「Orange」、「Gold」、「Beige」、「Brown」および「Other」の文字２９が印刷されている。
【００２０】
リップペンシルのカラーパッチ表示コラム１８には、当該一覧表に分類されたヘアカラーに似合うリップペンシルのカラーパッチ４５が印刷され、カラーパッチ４５の下側には対応する商品識別子（商品名、商品コード、色番号、色名称等）が付記されている。また、リップパレットのカラーパッチ表示コラム１９には、当該一覧表に分類されたヘアカラーに似合うリップパレットのカラーパッチ４６が印刷され、カラーパッチ４６の下側には、対応する商品識別子（商品名、商品コード、色番号、色名称等）が付記されている。
【００２１】
第１〜第４の一覧表４〜７におけるチーク・メイク・アップカラー表示コラム１１には、当該一覧表に分類されたヘアカラーに似合うチークカラーのカラーパッチ４７が横一列に印刷され、各カラーパッチ４７の下側には対応する商品識別子（商品名、商品コード、色番号、色名称等）が付記されている。
【００２２】
本考案によるカラーチャートの使用方法は次の通りである。一般に、美容室に来店した顧客は、受付および待合を経て、順次、カウンセリング、施術（カット、ヘアーカラーリング、パーマ等）、シャンプー（トリートメント）、ドライイングおよびアフターチェックを受け、自分の希望するヘアスタイルに仕上げてもらう。本考案によるカラーチャートは、ドライイングの後、顧客が最終的に仕上げられたヘアカラーを確認できる状態において使用され、あるいは、カウンセリング時に、美容師が顧客に対しアドバイスする際に使用される。
顧客は、自己の判断でまたは美容師のアドバイスにより、自分のヘアカラーが、カラーチャートの第１〜第４の一覧表４〜７のうちのどれに分類されたヘアカラーに相当するのかを確認し、該当する一覧表に記載されたアイ・メイク・アップ用化粧品、リップ・メイク・アップ用化粧品およびチーク・メイク・アップ用化粧品のそれぞれのカラーパッチ（および商品識別子）の中から好みのものを選択する。それによって、自分のヘアカラーに似合う色合いの化粧品を容易に選択することができる。
また、本考案によるカラーチャートをコンピュータのディスプレイ画面上に表示し、同様に使用することもできる。
【００２３】
こうして、本考案によるカラーチャートによれば、ヘアカラーをブルーベースのブラウンとイエローベースのブラウンに分類し、さらに、ブルーベースのブラウンをモノトーン・ブラック系／ダークブラウン系と赤っぽいブラウンに分類し、イエローベースのブラウンを赤っぽくないブラウンとイエロー系／ゴールド系に分類するとともに、１枚のシート上に、これらのヘアカラーの各分類毎に、ドミナントカラーの考え方に基づいて、そのヘアカラーに似合う色のアイ・メイク・アップ用化粧品、リップ・メイク・アップ用化粧品およびチークカラーのカラーパッチ（および商品識別子）を配列、印刷したので、顧客は、自分のヘアカラーを基準に、それに似合う色合いの化粧品を容易に選択することができる。また、化粧品メーカー側からすれば、本考案によるカラーチャートを用いることにより、消費者に対しヘアカラーを基準としたメイク・アップのカラーコーディネイトを積極的に提案することで、商品の販売促進を行うことができる。
【図面の簡単な説明】
【００２４】
【図１】本考案の１実施例によるメイク・アップのカラーコーディネイトのためのカラーチャートの平面図である。
【図２】図１の第１の一覧表の部分の拡大図である。
【図３】図１の第２の一覧表の部分の拡大図である。
【図４】図１の第３の一覧表の部分の拡大図である。
【図５】図１の第４の一覧表の部分の拡大図である。
【符号の説明】
【００２５】
１  シート
２  一の一覧表
３  他の一覧表
４  第１の一覧表
５  第２の一覧表
６  第３の一覧表
７  第４の一覧表
８  ヘアカラー表示コラム
９  アイ・メイク・アップカラー表示コラム
１０  リップ・メイク・アップカラー表示コラム
１１  チーク・メイク・アップカラー表示コラム
１３ａ、１３ｄ  ヘアカラーのカラーパッチ
【図１】
0003101933.tif 000003
【図２】
0003101933.tif 000004
【図３】
0003101933.tif 000005
【図４】
0003101933.tif 000006
【図５】
0003101933.tif 000007